【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
歯の髄室に挿入するのに十分小さな先端と、
放出される放出流体が複数の放出流体噴射を含むビームを生成するように、ルーメンの形状によって当該ルーメンを流れるノズル流体の非軸流方向を含む流れパラメータを画定するルーメンと、を有する流体源に接続されたノズルを備えている、
歯内治療のための装置。
【請求項２】
前記流れパラメータは、根管流体の回転を十分に増大させて、前記根管から組織を除去する、
請求項１に記載の装置。
【請求項３】
前記流れパラメータは、前記根管の根尖を含む前記根管から組織を除去するのに十分である、
請求項２に記載の装置。
【請求項４】
前記流れパラメータは、根管の根尖の頂点方向における組織の除去を防止する、
請求項１に記載の装置。
【請求項５】
前記複数の放出流体噴射は、前記ノズルの垂直軸に対してある角度である、
請求項１に記載の装置。
【請求項６】
前記流れパラメータは、前記根管における根管流体の前記回転のらせん流パターンを強化する、
請求項２に記載の装置。
【請求項７】
前記ノズル流体はルーメン壁に沿って循環し、
前記ノズル流体の出口点が前記ノズルの出口開口におけるルーメン壁に配置されている、
請求項１に記載の装置。
【請求項８】
前記ノズルは、前記ノズル流体が流通するルーメンを間に画定する内部コーンおよび外部コーンを備えている、
請求項１に記載の装置。
【請求項９】
前記ノズルは、移動により前記ルーメンの内側形状を調整するように構成された１つまたは複数の可動部を有する、
請求項１に記載の装置。
【請求項１０】
前記放出流体は、少なくとも１つの流体噴射を備え、
前記少なくとも１つの流体噴射の角度は、前記ノズルの垂直軸と交差しない、
請求項１に記載の装置。
【請求項１１】
前記ノズル流体は、液体と、気体および研磨粉の少なくとも一方とを含む、
請求項１に記載の装置。
【請求項１２】
前記研磨粉の粒子の密度が、前記ノズル流体を構成する他の粒子の密度よりも高い、
請求項１１に記載の装置。
【請求項１３】
前記研磨粉が、根管壁の研磨後に融解する塩である、
請求項１２に記載の装置。
【請求項１４】
吸引源に接続され、根管流体および残渣が前記根管から回収される１つまたは複数の注入口を備えた、
請求項１に記載の装置。
【請求項１５】
前記ビームの直径が、根管の入口の直径の約１０％以下である、
請求項１に記載の装置。
【請求項１６】
前記ノズルは、ノズルルーメンの内側に配設された回転要素を備え、
前記回転要素は、前記ルーメンを通過するノズル流体が前記ルーメンから放出された後、根管流体が根管内をらせん状に流れるように、前記ノズル流体に運動を与えるように動作可能である、
請求項１に記載の装置。
【請求項１７】
前記回転要素は、入力パイプラインに接続された注入口であって、前記ノズルに供給されたノズル流体の少なくとも一部が流れる注入口を備えている、
請求項１６に記載の装置。
【請求項１８】
前記回転要素が、複数のブレードを備えた、
請求項１６に記載の装置。
【請求項１９】
前記ノズルは、ノズルルーメンの内側に配設され、前記ノズルルーメンに対して移動することにより、前記流れパラメータを変更するように構成された内側コーンを備える、
請求項１に記載の装置。
【請求項２０】
前記内側コーンは、長手方向に移動可能であり、同時または別々に半径方向に拡張可能である、
請求項１９に記載の装置。
【請求項２１】
前記可動部は、前記ノズルの円錐を回転させるように構成されたタービンを含む、
請求項９に記載の装置。
【請求項２２】
加圧気体、流体、および研磨材料のうちの１つまたは複数を含む材料を含む１つまたは複数のチャンバを備えている、
請求項１に記載の装置。
【請求項２３】
２つ以上のチャンバを備え、
前記各チャンバはパイプによってノズルルーメンに接続され、
前記ビームは少なくとも一部が前記材料によって生成され、
各チャンバから流れてくる材料が、前記ノズルルーメン内で混ざり合う、
請求項２２に記載の装置。
【請求項２４】
前記チャンバと前記ノズルルーメンとの間に接続された粉体カートリッジを備え、
前記粉体カートリッジは、前記粉体カートリッジ内の成分をフィルタリングする様々なサイズの穴が形成された内部円筒を含む、
請求項２３に記載の装置。
【請求項２５】
前記ノズルは、前記ルーメン内に配設され、流体の流れを伝達する少なくとも１つの内部チャンネルを含む、
請求項１に記載の装置。
【請求項２６】
前記少なくとも１つの内部チャンネルは、ノズルルーメン内にらせん状に形成されている、
請求項２５に記載の装置。
【請求項２７】
前記少なくとも１つのチャンネルは、複数のチャンネルであり、
各チャネルは、別個の流体の流れを伝達し、出口開口を含み、
前記出口開口から出る前記別個の流体の流れは、前記ノズル内で混合する、
請求項２５に記載の装置。
【請求項２８】
前記可動部は、前記ルーメン内に配設された１つまたは複数の内部チャンネルを含む、
請求項９に記載の装置。
【請求項２９】
前記ビームの形状は、少なくとも、前記ビームの断面形状のサイズが前記先端からの距離に応じて増大する部分を含む、
請求項１に記載の装置。
【請求項３０】
前記ビームは、ファン状である、
請求項１に記載の装置。
【請求項３１】
前記流体は、空気および液体を含み、
前記空気および液体は、前記ノズル内で混合してエアロゾルを形成する、
請求項１に記載の装置。
【請求項３２】
前記ノズルの垂直軸と交差する前記ノズルの先端の出口開口の最大範囲は、０．３〜２ｍｍの間の範囲にある、
請求項１に記載の装置。
【請求項３３】
前記最大範囲は、約０．８ｍｍである、
請求項３２に記載の装置。
【請求項３４】
前記ルーメン内に開口を含み、流体、気体および研磨材料の１つまたは複数を前記ルーメンに供給する複数のチャンネルを備え、
少なくとも１つの前記チャンネルは、前記流体源に接続されている、
請求項１に記載の装置。
【請求項３５】
前記研磨粉は、結晶子、ケイ素粉体、ガーネット粉体、アルミニウム粉体、マグネシウム粉体、セラミック粉体、プラスチック粉体、合成物、金剛砂、貝殻粉体、セメント粉体、塩、粉砕種子、ダイヤモンド粉体、炭化物粉体、ガラス粉体、鉄粉体、酸化鉄粉体、鋼粉体、酸化アルミニウム粉体、重曹、アクリル粉体、グラナイト粉体、果物粉体、樹皮粉体、植物種子粉体、海砂粉体、合成ダイヤモンド粉体、石粉、大理石粉体、銅粉体、シリカ粉体の１つまたは複数を含む、
請求項１１に記載の装置。
【請求項３６】
前記気体と前記流体との比は、約７５％：２５％である、
請求項１１に記載の装置。
【請求項３７】
前記気体と前記流体との比は、約９０％：１０％である、
請求項１１に記載の装置。
【請求項３８】
前記気体と前記流体との比は、約８０％：２０％である、
請求項１１に記載の装置。
【請求項３９】
前記気体と前記流体との比は、約９８％：２％である、
請求項１１に記載の装置。
【請求項４０】
前記気体と前記流体との比は、約３０％：７０％である、
請求項１１に記載の装置。
【請求項４１】
前記流れパラメータは、流れ速度、流れ圧力、流量、前記ノズルから出る１つまたは複数の流体噴射の角度、前記ノズルから出る噴射のビームの形状、前記ノズル内の流れパターン、流体の循環速度の１つまたは複数を含む、
請求項１に記載の装置。
【請求項４２】
前記放出流体は、根管壁の少なくとも一部から象牙質組織の層を摩耗させる、
請求項１に記載の装置。
【請求項４３】
前記ノズル流体は、根管壁に半径方向外方の力を印加する研磨粉を含む、
請求項２に記載の装置。
【請求項４４】
前記根管内で回転する前記根管流体は、根管の根尖に直接当たらない、
請求項２に記載の装置。
【請求項４５】
根管壁に沿う根管流体の流れおよび根管の根尖における根管流体の流れのうちの１つまたは複数を維持するように制御される吸引源を備える、
請求項２に記載の装置。
【請求項４６】
前記根管は、少なくとも1つの狭窄部分を備え、
前記根管内で回転する前記根管流体は、根管壁に沿って前記狭窄部分を流れる、
請求項２に記載の装置。
【請求項４７】
前記根管は、少なくとも１つの幅広部分を備え、
前記根管内で回転する前記根管流体は、根管壁に沿って前記幅広部分を流れる、
請求項２に記載の装置。
【請求項４８】
前記根管は、湾曲および分岐の少なくとも１つを備え、
前記根管内で回転する前記根管流体は、前記湾曲および分岐の少なくとも１つを流れる、
請求項２に記載の装置。
【手続補正２】
【補正対象書類名】明細書
【補正対象項目名】発明の名称
【補正方法】変更
【補正の内容】
【発明の名称】歯内治療のための装置
【手続補正３】
【補正対象書類名】明細書
【補正対象項目名】０００１
【補正方法】変更
【補正の内容】
【０００１】
本発明は、歯内治療のための装置に関し、より詳細には、１つまたは複数の傾斜流体噴射（angled fluid jet）を用いて根管を治療するための装置に関する。